(57)【要約】【課題】消費電力を抑制できる交流入力検出装置及びこの交流入力検出装置を備えた画像処理装置を提供する。【解決手段】交流入力電流が発光素子ＬＥＤ１、ＬＥＤ２に流れるように接続された少なくとも１個のフォトカプラＰＣ１、ＰＣ２の通常の交流入力状態における発光素子ＬＥＤ１、ＬＥＤ２の電流値が、相対的に小さい値に設定される。通常の交流入力状態から、発光素子を流れる電流が減少することにより、交流入力電圧が低下したことが最初に検出されたとき、発光素子電流の電流値を増加させ、この電流値の増加後に、交流入力電圧が再度低下したことが検出されたときに、判定手段８０１は交流入力がオフになったと判定する。【選択図】図２
2019062591.tif 000002
【特許請求の範囲】
【請求項１】
交流入力の有無を検出するための交流入力検出装置であって、
交流入力による電流が発光素子に流れるように接続された少なくとも１個のフォトカプラと、
前記発光素子を流れる発光素子電流の減少により交流入力電圧が低下したことを検出する電圧低下検出手段と、
通常の交流入力状態における前記発光素子の電流値を相対的に小さい値に設定すると共に、通常の交流入力状態から前記電圧低下検出手段により交流入力電圧が所定値まで低下したことが最初に検出されたとき、前記発光素子電流の電流値を増加させる電流値設定・切替手段と、
前記電流値設定・切替手段により電流値を増加させた後、交流入力電圧が再度低下したことを前記電圧低下検出手段が検出したときに、交流入力がオフになったと判定する判定手段と、
を備えたことを特徴とする交流入力検出装置。
【請求項２】
交流入力検出装置が搭載される装置が画像処理装置であり、
前記画像処理装置における交流入力定格電圧の下限値以下の値で、前記電圧低下検出手段による最初の電圧低下の検出が可能となるように、通常の交流入力状態における前記発光素子の電流値が設定されている請求項１に記載の交流入力検出装置。
【請求項３】
前記発光素子の電流値を規定する抵抗素子を備え、
前記電流値設定・切替手段は、前記抵抗素子の値を変化させることにより前記発光素子の電流値を増加させる請求項１または２に記載の交流入力検出装置。
【請求項４】
交流入力検出装置が搭載される装置が画像処理装置であり、
前記電流値設定・切替手段は、画像処理装置にオプション装置が装着されているかどうかの動作条件、及び／または画像処理装置の動作状態に応じて、前記発光素子の電流値の増加量を変更する請求項１〜３のいずれかに記載の交流入力検出装置。
【請求項５】
前記電流値設定・切替手段は、画像処理装置の動作状態がスリープモードの時、前記発光素子の電流値の増加量を最も大きくする請求項４に記載の交流入力検出装置。
【請求項６】
画像処理装置にオプション装置が装着され、かつ画像処理装置の動作状態が印字モードのとき、前記発光素子の電流値の増加量を最も小さくする請求項４に記載の交流入力検出装置。
【請求項７】
請求項１〜６のいずれかに記載の交流入力検出装置を備えている画像処理装置。
【発明の詳細な説明】
【技術分野】
【０００１】
この発明は、画像処理装置の電源装置等に搭載され、交流入力の有無を検出するための交流入力検出装置、及びこの交流入力検出装置を備えた画像処理装置に関する。
【背景技術】
【０００２】
多機能デジタル画像形成装置であるＭＦＰ（Multi Function Peripheral）等の画像処理装置やその他の装置では、商用交流電源からの交流入力電圧を直流低電圧に変換して、制御部等に電力供給している場合が多い。この場合、停電その他の原因で交流入力電圧が低下（遮断も含む）すると装置に悪影響を及ぼすため、交流入力の有無を検出するための交流入力検出装置が従来より提案されている（例えば特許文献１及び２参照）。そして、交流入力電圧が低下し又は遮断されたことが検出されると、画像処理装置等の動作を停止させ必要なマシン情報をメモリに退避させる等の処理が行われている。
【０００３】
このような交流入力検出装置の従来例を図８に示す。この装置では、交流電源（以下、交流をＡＣと記すこともある）によるＡＣ入力ラインのＬ（ライブ）、Ｎ（ニュートラル）間に、コンデンサＣ１と、コンデンサＣ２と、入力側の発光ダイオードＬＥＤ１及びＬＥＤ２が並列逆接続されたフォトカプラＰＣ１、ＰＣ２と、抵抗Ｒ１とが、直列に接続されており、フォトカプラＰＣ１、ＰＣ２の発光ダイオードＬＥＤ１及びＬＥＤ２に流れる電流の増減で、ＡＣ入力電圧の低下を検出している。フォトカプラＰＣ１、ＰＣ２のそれぞれの発光ダイオードＬＥＤ１、ＬＥＤ２はＡＣ入力ラインのＬ（ライブ）、Ｎ（ニュートラル）に対して逆向きに接続されており、それぞれのＬＥＤ電流はＩ１、Ｉ２である。これにより、ＡＣ入力の正側と負側の両方の電圧低下を検出可能となる。
【０００４】
フォトカプラＰＣ１、ＰＣ２の発光ダイオードＬＥＤ１及びＬＥＤ２に流れる電流Ｉ１、Ｉ２により、それぞれの発光ダイオードＬＥＤ１、ＬＥＤ２は発光し、フォトカプラＰＣ１、ＰＣ２の２次側の出力トランジスタＴｒ１、Ｔｒ２に発光量に応じたコレクタ電流Ｉｃ(ＰＣ１)、Ｉｃ(ＰＣ２)が流れる。
【０００５】
フォトカプラＰＣ１、ＰＣ２の２次側の出力トランジスタＴｒ１、Ｔｒ２の各コレクタはいずれも、５Ｖ端子Ｐと接地ラインとの間に直列接続された抵抗Ｒ２とコンデンサＣ３との接続点に接続されており、コレクタ電流Ｉｃ(ＰＣ１)、Ｉｃ(ＰＣ２)が流れることにより、接続点の電圧Ｖａが低下する。
【０００６】
また、抵抗Ｒ２とコンデンサＣ３との接続点には電界効果トランジスタ（Ｐチャンネル）Ｑ１のゲートが接続されており、電界効果トランジスタＱ１のソースは抵抗Ｒ３を介して５Ｖラインに接続され、電界効果トランジスタＱ１のドレインはコンデンサＣ４を介して接地されている。
【０００７】
さらに、電界効果トランジスタＱ１のドレインには電界効果トランジスタＱ２（Ｎチャンネル）のゲートが接続されるとともに、電界効果トランジスタＱ２のゲートと接地端子間には抵抗Ｒ５が接続されている。従って、抵抗Ｒ５はコンデンサＣ４と並列に接続されている。また、電界効果トランジスタＱ２のドレインは、５Ｖラインと接地端子との間に直列接続された２個の抵抗Ｒ４、Ｒ６の接続点に接続されるとともに、電界効果トランジスタＱ２のソースは接地されている。そして、電界効果トランジスタＱ２のドレイン端子（抵抗Ｒ４、Ｒ６の接続点）から、ＡＣ入力のオフを検出するためのＡＣオフモニタ信号が出力されるようになっている。
【０００８】
従って、フォトカプラＰＣ１、ＰＣ２の２次側の出力トランジスタＴｒ１、Ｔｒ２の各コレクタの電圧（電界効果トランジスタＱ１のゲート電圧）Ｖａが小さいと、電界効果トランジスタＱ１がオン状態となり、５Ｖラインから抵抗Ｒ３を介して電界効果トランジスタＱ１のドレイン−ソース間に電流が流れてコンデンサＣ４に電荷がチャージされ、コンデンサＣ４の電圧Ｖｂは大きくなる。コンデンサＣ４の電圧Ｖｂが、電界効果トランジスタＱ２のゲート・ソース間閾値電圧Ｖｔｈよりも大きい場合、電界効果トランジスタＱ２がオン状態となって電界効果トランジスタＱ２のドレインは接地状態となり、ＡＣオフモニタ出力はＬレベルとなる。
【０００９】
ＡＣ入力電圧が低下すると、フォトカプラＰＣ１、ＰＣ２の発光ダイオードＬＥＤ１、ＬＥＤ２に流れる電流Ｉ１、Ｉ２が減少してそれぞれの発光ダイオードＬＥＤ１、ＬＥＤ２の発光量は低下し、フォトカプラＰＣ１、ＰＣ２の２次側の出力トランジスタＴｒ１、Ｔｒ２のコレクタ電流Ｉｃ(ＰＣ１)、Ｉｃ(ＰＣ２)が減少する。このことにより、５Ｖラインから抵抗Ｒ２を介して、コンデンサＣ３に電荷がチャージされる。このため電界効果トランジスタＱ１のゲート電圧Ｖａは上昇し、電界効果トランジスタＱ１はオフ状態となりそのドレイン−ソース間電流は絞られる。
【００１０】
このため、コンデンサＣ４の電荷は抵抗Ｒ５を介して放電され、電界効果トランジスタＱ２のゲート電圧Ｖｂは低下して、電界効果トランジスタＱ２はオフ状態となり、ＡＣオフモニタ出力には、５Ｖラインの電圧を抵抗Ｒ４及び抵抗Ｒ６で分圧されたＨレベルの電圧が出力される。ＡＣオフモニタ出力は、マシン本体側の制御部のＣＰＵ８０１のポートに入力され、ＡＣオフモニタ出力がＨレベルになると、本ＣＰＵ８０１はＡＣ入力電圧がオフしたと判定する。
【先行技術文献】
【特許文献】
【００１１】
【特許文献１】特開２００９−１６５３０５号公報
【特許文献２】特開２０１４１５５２６６号公報
【発明の概要】
【発明が解決しようとする課題】
【００１２】
しかし、図８に示した従来の交流入力検出装置では、設定された電圧までＡＣ入力電圧が低下したことを確実に検出するため、通常の交流入力状態において、フォトカプラの入力側の発光ダイオードＬＥＤ１、ＬＥＤ２に大きな電流を流しており、このため消費電力の増大の一因となっているという問題があった。
【００１３】
この発明は、このような技術的背景に鑑みてなされたものであって、消費電力を抑制できる交流入力検出装置及びこの交流入力検出装置を備えた画像処理装置の提供を課題とする。
【課題を解決するための手段】
【００１４】
上記課題は、以下の手段によって解決される。
（１）交流入力の有無を検出するための交流入力検出装置であって、交流入力による電流が発光素子に流れるように接続された少なくとも１個のフォトカプラと、前記発光素子を流れる発光素子電流の減少により交流入力電圧が低下したことを検出する電圧低下検出手段と、通常の交流入力状態における前記発光素子の電流値を相対的に小さい値に設定すると共に、通常の交流入力状態から前記電圧低下検出手段により交流入力電圧が所定値まで低下したことが最初に検出されたとき、前記発光素子電流の電流値を増加させる電流値設定・切替手段と、前記電流値設定・切替手段により電流値を増加させた後、交流入力電圧が再度低下したことを前記電圧低下検出手段が検出したときに、交流入力がオフになったと判定する判定手段と、を備えたことを特徴とする交流入力検出装置。
（２）交流入力検出装置が搭載される装置が画像処理装置であり、前記画像処理装置における交流入力定格電圧の下限値以下の値で、前記電圧低下検出手段による最初の電圧低下の検出が可能となるように、通常の交流入力状態における前記発光素子の電流値が設定されている前項１に記載の交流入力検出装置。
（３）前記発光素子の電流値を規定する抵抗素子を備え、前記電流値設定・切替手段は、前記抵抗素子の値を変化させることにより前記発光素子の電流値を増加させる前項１または２に記載の交流入力検出装置。
（４）交流入力検出装置が搭載される装置が画像処理装置であり、前記電流値設定・切替手段は、画像処理装置にオプション装置が装着されているかどうかの動作条件、及び／または画像処理装置の動作状態に応じて、前記発光素子の電流値の増加量を変更する前項１〜３のいずれかに記載の交流入力検出装置。
（５）前記電流値設定・切替手段は、画像処理装置の動作状態がスリープモードの時、前記発光素子の電流値の増加量を最も大きくする前項４に記載の交流入力検出装置。
（６）画像処理装置にオプション装置が装着され、かつ画像処理装置の動作状態が印字モードのとき、前記発光素子の電流値の増加量を最も小さくする前項４に記載の交流入力検出装置。
（７）前項１〜前項６のいずれかに記載の交流入力検出装置を備えている画像処理装置。
【発明の効果】
【００１５】
前項（１）に記載の発明によれば、交流入力による電流が発光素子に流れるように接続された少なくとも１個のフォトカプラの通常の交流入力状態における前記発光素子の電流値が、相対的に小さい値に設定される。通常の交流入力状態から、発光素子を流れる発光素子電流が減少することにより、交流入力電圧が低下したことが最初に検出されたとき、発光素子電流の電流値を増加させ、この電流値の増加後に、交流入力電圧が再度低下したことが検出されたときに、交流入力がオフになったと判定される。
【００１６】
つまり、通常時はフォトカプラの発光素子の電流値を相対的に小さくするから、その分消費電力を少なくできる。一方、交流入力電圧の低下が検出されたときは、交流入力がオフになる可能性があり、交流入力オフを精度良く検出するために、フォトカプラの発光素子の電流値を増加させて交流入力電圧の低下検出状態を一旦解消する。そして、交流入力電圧が再度低下したことが検出されたときに、交流入力がオフになったと判定するから、交流入力がオフになったこと換言すれば交流入力の有無を精度良く検出することができる。
【００１７】
前項（２）に記載の発明によれば、画像処理装置における交流入力定格電圧の下限値以下の範囲で、電圧低下検出手段による最初の電圧低下の検出が確実に可能となる。
【００１８】
前項（３）に記載の発明によれば、発光素子の電流値を規定する抵抗素子の値を変化させることにより、発光素子の電流値を容易に増加させることができる。
【００１９】
前項（４）に記載の発明によれば、画像処理装置にオプション装置が装着されているかどうかの動作条件、及び／または画像処理装置の動作状態に応じて、発光素子の電流値の増加量を最適な値とすることができる。
【００２０】
前項（５）に記載の発明によれば、画像処理装置の動作状態がスリープモードのときは、負荷が小さく交流入力をオフと判断する許容低下電圧が低いため、発光素子の電流値の増加量を最も大きく設定し、交流入力電圧の低下量が大きい時にオフと判定する。
【００２１】
前項（６）に記載の発明によれば、画像処理装置にオプション装置が装着され、かつ画像処理装置の動作状態が印字モードのときは、負荷が大きく交流入力をオフと判断する許容低下電圧が高いため、発光素子の電流値の増加量を最も小さく設定し、交流入力電圧の低下量が小さくてもオフと判定する。
【００２２】
前項（７）に記載の発明によれば、画像処理装置において、消費電力を抑制しながら、交流入力オフを精度良く検出することができる。
【図面の簡単な説明】
【００２３】
【図１】の発明の一実施形態に係る交流入力検出装置が用いられた画像処理装置としての画像形成装置の概略構成図である。
【図２】交流入力検出回路の回路図である。
【図３】（Ａ）は、ＡＣ入力電圧とフォトカプラにおける発光ダイオードの発光量との関係を示すグラフ、（Ｂ）は、フォトカプラにおける発光ダイオードの発光量と、電界効果トランジスタＱ１のゲート電圧の関係を示す図である。
【図４】交流入力オフ判定処理の動作を示すフローチャートである。
【図５】この発明の他の実施形態に係る交流入力検出回路の回路図である。
【図６】画像形成装置の動作条件及び／又はステータスに応じて、フォトカプラの発光ダイオードの電流値の増加量を変更するためのテーブルを示す図である。
【図７】図５に示した交流入力検出回路における交流入力オフ判定処理の動作を示すフローチャートである。
【図８】従来の交流入力検出回路の回路図である。
【図９】従来例において交流入力オンと判定される場合の各部の波形を示す図である。
【図１０】従来例において交流入力オフと判定される場合の各部の波形を示す図である。
【図１１】従来例における交流入力が９０Ｖ未満の瞬断の場合の各部の波形を示す図である。
【図１２】従来例において交流入力電圧が７０Ｖに低下した状態が０．５秒以上持続する場合の各部の波形を示す図である。
【発明を実施するための形態】
【００２４】
以下、この発明の実施形態を図面に基づいて説明する。
【００２５】
図１は、この発明の一実施形態に係る交流入力検出装置が用いられた画像処理装置としての画像形成装置２０の概略構成図である。
【００２６】
画像形成装置２０は、装置本体２０Ａの下部に給紙部２００が、中央部にカラー画像形成部１００が、上部に排紙部６００がそれぞれ配されて構成されている。給紙部２００から排紙部６００に渡っては給紙部２００から繰り出されたシート（用紙）Ｓを上方へ搬送するシート搬送路２０６が設けられている。
【００２７】
カラー画像形成部１００は、装置本体２０Ａの上下方向の略中央に配置された駆動ローラ５１及び従動ローラ５０と、これら駆動および従動ローラ５１，５０間に水平に掛設されて矢印方向へ走行する中間転写ベルト６０と、この走行方向に沿って配置されたイエロー（Ｙ），マゼンタ（Ｍ），シアン（Ｃ），ブラック（Ｋ）の各色の作像ユニット６２Ｙ，６２Ｍ，６２Ｃ，６２Ｋとを備えている。
【００２８】
各作像ユニット６２Ｙ，６２Ｍ，６２Ｃ，６２Ｋで作成されたトナー画像を重ね合わせて転写ベルト６０に転写し、シート搬送路２０６を搬送されてくるシートＳに対して転写ベルト６０の搬送端（図中右端）で２次転写を行い、シートＳを定着部３００に送給してトナー画像の定着を行うようになっている。
【００２９】
各作像ユニット６２Ｙ，６２Ｍ，６２Ｃ，６２Ｋは、静電複写方式により作像するもので、それらの周囲に配設された帯電器、４個のレーザーダイオード、ポリゴンミラー、および走査レンズ等を有するプリントヘッド２１ならびに４つの反射ミラー２２等を備えた露光部４０と、現像器６１Ｙ，６１Ｍ，６１Ｃ，６１Ｋと、感光体ドラムと、転写器等とを備えている。
【００３０】
また、各作像ユニット６２Ｙ，６２Ｍ，６２Ｃ，６２Ｋの現像器６１Ｙ，６１Ｍ，６１Ｃ，６１Ｋにトナーを補給する補給機構として、トナーカートリッジ７０Ｙ，７０Ｍ，７０Ｃ，７０Ｋおよびサブホッパ８０Ｙ，８０Ｍ，８０Ｃ，８０Ｋが前記作像ユニット６２Ｙ，６２Ｍ，６２Ｃ，６２Ｋの上方位置に配置されている。
【００３１】
符号４００は外部装置との通信手段であり、また５００はキー部や表示部を備えた操作パネル部である。
【００３２】
符号７００は電源回路であり、この実施形態では商用電源からの交流入力を一定電圧の直流に変換して、画像処理装置２０の各部に電力を供給している。
【００３３】
電源回路７００には、交流入力のオフ換言すれば交流入力の有無を検出する交流入力検出回路（交流入力検出装置）８００が備えられている。
【００３４】
交流入力検出回路８００の一例を図２に示す。なお、図２の交流入力検出回路において、図８の交流入力検出回路と同一の構成部分については同一の符号を付し、詳細な説明は省略する。
【００３５】
交流（ＡＣ）入力検出回路８００は、図８に示した従来のＡＣ入力検出回路と同様に、交流電源によるＡＣ入力ラインのＬ（ライブ）、Ｎ（ニュートラル）間にコンデンサＣ１と、コンデンサＣ２と、入力側の発光ダイオードＬＥＤ１及びＬＥＤ２が並列逆接続されたフォトカプラＰＣ１、ＰＣ２が直列に接続されているが、並列逆接続されたフォトカプラＰＣ１、ＰＣ２とＡＣ入力ラインの他方との間に介在していた従来の固定抵抗Ｒ１に代えて、並列接続された抵抗Ｒ１ａと抵抗Ｒ１ｂが設けられ、さらに抵抗Ｒ１ｂと直列にスイッチ素子（ＳＷ素子）Ａが介挿されている。
【００３６】
また、フォトカプラＰＣ１、ＰＣ２の２次側の出力トランジスタＴｒ１、Ｔｒ２を含む回路は、図８に示した従来の二次側回路と同じであるが、この実施形態では、ＡＣオフモニタ出力信号が入力される画像処理装置２０の本体内の制御部であるＣＰＵ８０１から、一次側のＳＷ素子Ａのオンオフを制御するためのフォトカプラ電流切替信号が出力されている。
【００３７】
ＳＷ素子Ａはこの実施形態ではフォトトライアックからなり、該フォトトライアックをオンオフさせるためのフォトダイオードのアノードに５Ｖ端子Ｐが接続され、カソードがＣＰＵ８０１に接続され、ＣＰＵ８０１からフォトカプラ電流切替信号が出力されていないときはＳＷ素子Ａはオフとなる。このため抵抗Ｒ１ｂは接続されていない状態となり、フォトカプラＰＣ１、ＰＣ２の各発光素子ＬＥＤ１、ＬＥＤを流れる電流値は抵抗Ｒ１ａで規制される。一方、フォトカプラ電流切替信号が出力されるとＳＷ素子Ａはオンとなる。このため抵抗Ｒ１ｂは有効となり、フォトカプラＰＣ１、ＰＣ２の各発光素子ＬＥＤ１、ＬＥＤを流れる電流値は、抵抗Ｒ１ａと抵抗Ｒ１ｂの並列接続体により規制され、抵抗Ｒ１ａのみによって規制される場合に較べて、各発光素子ＬＥＤ１、ＬＥＤを流れる電流値は増加する。
【００３８】
次に、図２に示したＡＣ入力検出回路の動作を説明する。
【００３９】
ＡＣ入力が通常状態つまり電圧低下が生じていないときは、制御ＣＰＵ８０１からはスイッチ素子Ａに対するフォトカプラ電流切替信号は出力されていないから、スイッチ素子Ａはオフであり、フォトカプラＰＣ１、ＰＣ２の入力側の発光ダイオードＬＥＤ１及びＬＥＤ２に流れる電流Ｉ１、Ｉ２は抵抗Ｒ１ａのみによって規定され、抵抗Ｒ１ｂには影響を受けない。発光ダイオードＬＥＤ１及びＬＥＤ２に流れる電流Ｉ１、Ｉ２により、それぞれの発光ダイオードＬＥＤ１及びＬＥＤ２は発光し、フォトカプラＰＣ１、ＰＣ２の２次側の出力トランジスタＴｒ１、Ｔｒ２に発光量に応じたコレクタ電流Ｉｃ(ＰＣ１)、Ｉｃ(ＰＣ２)が流れ、電界効果トランジスタＱ１のゲート電圧Ｖａは低下する。
【００４０】
電界効果トランジスタＱ１のゲート電圧Ｖａが小さいと、電界効果トランジスタＱ１がオン状態となり、５Ｖラインから抵抗Ｒ３を介して電界効果トランジスタＱ１のドレイン−ソース間に電流が流れてコンデンサＣ４に電荷がチャージされ、コンデンサＣ４の電圧Ｖｂは大きくなる。コンデンサＣ４の電圧Ｖｂが、電界効果トランジスタＱ２のゲート・ソース間閾値電圧Ｖｔｈよりも大きい場合、電界効果トランジスタＱ２がオン状態となりそのドレイン−ソース間に電流が流れＡＣオフモニタ出力はＬレベルとなる。
【００４１】
ＡＣ入力電圧が低下すると、フォトカプラＰＣ１、ＰＣ２の発光ダイオードＬＥＤ１、ＬＥＤ２に流れる電流Ｉ１、Ｉ２が減少してそれぞれの発光ダイオードＬＥＤ１、ＬＥＤ２の発光量は低下し、フォトカプラＰＣ１、ＰＣ２の２次側の出力トランジスタＴｒ１、Ｔｒ２のコレクタ電流Ｉｃ(ＰＣ１)、Ｉｃ(ＰＣ２)が減少する。このことにより、５Ｖラインから抵抗Ｒ２を介して、コンデンサＣ３に電荷がチャージされる。このため電界効果トランジスタＱ１のゲート電圧Ｖａは上昇し、電界効果トランジスタＱ１はオフ状態となりそのドレイン−ソース間電流は絞られる。
【００４２】
このため、コンデンサＣ４の電荷は抵抗Ｒ５を介して放電されて、電界効果トランジスタＱ２のゲート電圧Ｖｂが低下し、電界効果トランジスタＱ２はオフ状態となり、ＡＣオフモニタ出力には、５Ｖラインの電圧を抵抗Ｒ４、抵抗Ｒ６で分圧されたＨレベルの電圧が出力される。ＡＣオフモニタ出力はＣＰＵ８０１のポートに入力される。ＡＣオフモニタ出力がＨレベルになるとＣＰＵ８０１によりＡＣ入力電圧が低下したと判定され、ＣＰＵ８０１はスイッチ素子Ａに対してフォトカプラ電流切替信号を出力し、スイッチ素子Ａはオンに切り替わる。ただし、この時点ではＡＣ入力がオフになったとは判定されない。
【００４３】
スイッチ素子Ａがオンに切り替わると抵抗Ｒ１ｂが有効となり、フォトカプラＰＣ１、ＰＣ２の各発光ダイオードＬＥＤ１及びＬＥＤ２に流れる電流Ｉ１、Ｉ２は、並列接続された抵抗Ｒ１ａとＲ１ｂにより規定される。並列接続された抵抗Ｒ１ａと抵抗Ｒ１ｂの合成抵抗値は小さくなり、電流Ｉ１、Ｉ２の値が増加する。
【００４４】
電流Ｉ１、Ｉ２の値が増加すると、各発光ダイオードＬＥＤ１及びＬＥＤ２の発光量は増加し、フォトカプラＰＣ１、ＰＣ２の２次側の出力トランジスタＴｒ１、Ｔｒ２のコレクタ電流Ｉｃ(ＰＣ１)、Ｉｃ(ＰＣ２)が増加する結果、ＡＣオフモニタ出力は再びＬレベルとなる。
【００４５】
その後、さらにＡＣ入力電圧が低下すると、増加したフォトカプラＰＣ１、ＰＣ２の各発光ダイオードＬＥＤ１及びＬＥＤ２に流れる電流Ｉ１、Ｉ２が再び減少していき、上述した動作と同様にして、ＡＣオフモニタ出力が再びＨレベルとなる。ＡＣオフモニタ出力が再びＨレベルとなったとき、換言すればＡＣ入力電圧が低下したことが再度検出されたとき、ＣＰＵ８０１はＡＣ入力がオフになったと判定し、画像形成装置２０の動作を停止させ必要なマシン情報をメモリに退避させる等の処理を実行する。また、ＣＰＵ８０１からのフォトカプラ電流切替信号をオフにする。
【００４６】
なお、ＡＣ入力電圧が何らかの原因で一時的に低下したり瞬断することがあるが、この実施形態では、最大負荷状態でＡＣ入力電圧が７０Ｖに低下した状態が０．５秒持続してもＡＣ入力オフを検出しないように、また最大負荷状態でＡＣ入力電圧９０Ｖ、瞬断深度１００％で１サイクル相当の２０ｍｓ（５０Ｈｚの場合）以下で瞬断が発生しても、ＡＣ入力オフを検出しないように、コンデンサＣ４と抵抗Ｒ５により時定数が設定されている。
【００４７】
このように、この実施形態では、通常の交流入力状態におけるフォトカプラＰＣ１、ＰＣ２の発光ダイオードＬＥＤ１、ＬＥＤ２の電流値は、抵抗Ｒ１ａのみによって規定されるから、この抵抗Ｒ１ａの値を従来よりも大きく設定することにより、交流入力の低下が発生していない通常状態において、各発光ダイオードＬＥＤ１、ＬＥＤ２や抵抗Ｒ１ａを流れる電流を相対的に小さくすることができる。従って、その分、抵抗Ｒ１ａによる消費電力を減少させることができる。
【００４８】
一方、ＡＣ入力電圧が低下したことが最初に検出されたときは、ＣＰＵ８０１からＳＷ素子Ａに対してフォトカプラ電流切替信号が出力されることにより、ＳＷ素子Ａをオンにし、抵抗Ｒ１ａと並列に接続された抵抗Ｒ１ｂを有効にして合成抵抗値を下げることにより、各発光ダイオードＬＥＤ１、ＬＥＤ２の電流値を増加させてＡＣ入力電圧の低下検出状態を一旦解消する。そして、ＡＣ入力電圧が再度低下したことが検出されたときに、ＣＰＵ８０１はＡＣ入力がオフになったと判定するから、ＡＣ入力がオフになったこと換言すればＡＣ入力の有無を精度良く検出することができる。
【００４９】
図３に、ＡＣ入力電圧とフォトカプラＰＣ１、ＰＣ２における発光ダイオードＬＥＤ１、ＬＥＤ２の発光量、ＡＣオフモニタ出力の関係を示す。
【００５０】
同図（Ａ）は、ＡＣ入力電圧とフォトカプラＰＣ１、ＰＣ２における発光ダイオードＬＥＤ１、ＬＥＤ２の発光量との関係を示すもので、縦軸にＡＣ入力電圧、横軸に発光ダイオードＬＥＤ１、ＬＥＤ２の発光量を示す。同図（Ｂ）は、フォトカプラＰＣ１、ＰＣ２における発光ダイオードＬＥＤ１、ＬＥＤ２の発光量と、電界効果トランジスタＱ１のゲート電圧Ｖａの関係を示すもので、縦軸にゲート電圧、横軸に発光ダイオードＬＥＤ１、ＬＥＤ２の発光量を示す。
【００５１】
画像形成装置本体（１００Ｖ系）の電源仕様の定格入力電圧をＡＣ１００Ｖ〜１２７Ｖ、電圧変動範囲 ＡＣ８５Ｖ〜１３９．７Ｖとすると、ＡＣ８５Ｖが通常時のＡＣ電源の下限電圧である。従って、ＡＣ入力電圧が８５Ｖ以下で最初の電圧低下が検出され、ＣＰＵ８０１が電圧低下と判定するように抵抗Ｒ１ａの値が設定され、フォトカプラＰＣ１、ＰＣ２における発光ダイオードＬＥＤ１、ＬＥＤ２の電流値が設定されている。
【００５２】
図３において、白丸を結ぶ細線は従来例であり、ＡＣ入力電圧が１００Ｖの時、フォトカプラＰＣ１、ＰＣ２の発光ダイオードＬＥＤ１、ＬＥＤ２に流れる電流は、抵抗Ｒ１により決定され、この時のそれぞれの発光ダイオードＬＥＤ１、ＬＥＤ２の発光量は１００％とする。ＡＣ入力８５Ｖの時の発光ダイオードＬＥＤ１、ＬＥＤ２の発光量は８５％、ＡＣ入力７０Ｖの時の発光ダイオードＬＥＤ１、ＬＥＤ２の発光量は７０％と設定している。図３（Ｂ）に示すとおり、電界効果トランジスタＱ２のゲート・ソース間閾値電圧Ｖｔｈを、電界効果トランジスタＱ１のゲート電圧換算で３Ｖと規定した場合、ＡＣ入力７０Ｖ以上のとき、電界効果トランジスタＱ１のゲート電圧値は閾値を下回るので、電界効果トランジスタＱ２のゲート・ソース間電圧は閾値Ｖｔｈよりも大きくなり、ＡＣオフモニタ出力はＬレベルとなり、ＣＰＵ８０１はＡＣ入力オン領域と判定する。
【００５３】
ＡＣ入力７０Ｖ未満の際は、電界効果トランジスタＱ１のゲート電圧Ｖａは大きくなるため、電界効果トランジスタＱ２のゲート・ソース間電圧は閾値Ｖｔｈよりも小さくなってＡＣオフモニタ出力はＨレベルとなり、ＣＰＵ８０１はＡＣ入力オフ領域と判定する。
【００５４】
従来例においてＡＣ入力オンと判定される場合の各部の波形を図９に示す。ＡＣ入力が７０Ｖ以上の場合（ＡＣ入力電圧の低下が３０％未満）、ＡＣオフモニタ出力はＬレベルであり、ＡＣ入力有りが検出されている。
【００５５】
従来例においてＡＣ入力オフと判定される場合の各部の波形を図１０に示す。ＡＣ入力が７０Ｖ未満の場合、ＡＣオフモニタ出力はＨレベルであり、ＡＣ入力オフが検出されている。
【００５６】
ＡＣ９０Ｖ、瞬断深度１００％、１サイクルの瞬断については、ＡＣ入力９０Ｖ時の発光ダイオードＬＥＤ１、ＬＥＤ２の発光量９０％の状態から、１サイクル（２０ｍｓ）においてＡＣ入力０Ｖに低下しても、発光ダイオードＬＥＤ１、ＬＥＤ２の発光量７０％以上を維持するように、例えば、抵抗Ｒ２、コンデンサＣ３での時定数約１０ｍｓ、抵抗Ｒ５、コンデンサＣ４の時定数約２０ｍｓの組合せで、ＡＣオフモニタ出力がＡＣオン領域となるように設定されている。
【００５７】
従来例におけるＡＣ入力が９０Ｖ未満の瞬断の場合の各部の波形を図１１に示す。ＡＣ入力が９０Ｖの場合、瞬断深度１００％で１サイクル以内であれば、電界効果トランジスタＱ２のゲート・ソース間電圧（Ｖｂポイントの電圧）は閾値Ｖｔｈよりも大きくなり、ＡＣオフモニタ出力はＬレベルであり、ＡＣ入力オンが検出されている。ただし、１サイクルを超える瞬断では、電界効果トランジスタＱ２のゲート・ソース間電圧（Ｖｂポイントの電圧）は閾値Ｖｔｈを下回ることになり、ＡＣオフモニタ出力はＨレベルとなる。
【００５８】
従来例においてＡＣ入力電圧が７０Ｖに低下した状態が０．５秒以上持続する場合の各部の波形を図１２に示す。０．５秒までは、電界効果トランジスタＱ２のゲート・ソース間電圧（Ｖｂポイントの電圧）は閾値Ｖｔｈよりも大きく、従ってＡＣオフモニタ出力はＬレベルであるが、０．５秒を超えると、電界効果トランジスタＱ２のゲート・ソース間電圧（Ｖｂポイントの電圧）は閾値Ｖｔｈを下回って、ＡＣオフモニタ出力はＨレベルとなり、ＡＣ入力オフが検出される。
【００５９】
図３において、黒丸を結ぶ太線は本実施形態の例である。本実施形態では図２で説明したように、ＳＷ素子Ａのオンオフにより抵抗Ｒ１ａと抵抗Ｒ１ｂの並列接続に電流を流すか、抵抗Ｒ１ａのみに電流を流すかの切替えが可能となっており、抵抗Ｒ１ａのみに電流を流す場合が、ＡＣ入力低下のない通常時である。
【００６０】
この実施形態では、抵抗Ｒ１ａのみの場合に対し、抵抗Ｒ１ａと抵抗Ｒ１ｂの並列接続の方が１．２倍、フォトカプラＰＣ１、ＰＣ２の各発光ダイオードＬＥＤ１、ＬＥＤ２に流れる電流が多くなるように、抵抗Ｒ１ａと抵抗Ｒ１ｂの抵抗値が設定されている。
【００６１】
発光ダイオードＬＥＤ１、ＬＥＤ２の発光量７０％のとき、従来はＡＣ入力電圧７０ＶでＡＣ入力オフを検出する設定であったものを、本実施形態ではＡＣ入力定格の下限値（ＡＣ８５Ｖ）に設定し、ＡＣ入力定格の下限値（ＡＣ８５Ｖ）まで低下したときにＡＣ入力の最初の電圧低下を検出する。そして、ＡＣ入力の電圧低下が最初に検出された場合は、上述したように、発光ダイオードＬＥＤ１、ＬＥＤ２に接続される抵抗を、抵抗Ｒ１ａとＲ１ｂの並列接続に切り替えることで、ＡＣ入力検出回路の消費電力を落とすことが可能となる。本実施形態では抵抗値比の１／１．２＝０．８３より、１７％の消費電力削減となる。
【００６２】
本実施形態において、ＡＣ入力の低下が最初に検出されるまでの各部の波形は、図９〜図１２の波形図と同じであるが、ＡＣ入力電圧の条件が相違している。図９の対応例では、ＡＣ入力電圧が８５Ｖ以上の設定であり、図１０の対応例ではＡＣ入力電圧が８５Ｖ未満の設定であり、図１１の対応例ではＡＣ入力電圧が１１０Ｖ未満の設定であり、図１２の対応例ではＡＣ入力電圧が８５Ｖ以下で電圧低下継続時間が０．５秒以上の設定となる。
【００６３】
消費電力削減について具体例を説明すると、抵抗Ｒ１が１ＭΩであれば、ＡＣ１００Ｖの場合の消費電力ＰはＰ＝Ｖ2／Ｒ＝１００Ｖ×１００Ｖ／１ＭΩ＝０．０１Ｗ＝１０ｍＷとなる。ＡＣ７０Ｖ未満でのＡＣ入力低下の検出を、ＡＣ８５Ｖ未満でのＡＣ入力低下の検出に変更する場合、８５Ｖ／７０Ｖ＝１．２倍の抵抗値（１．２ＭΩ）とすれば良い。従って、Ｒ２＝５ＭΩとすれば良い。この時の消費電力Ｐは、Ｐ＝１００Ｖ×１００Ｖ／１．２ＭΩ＝０．００８Ｗ=８ｍＷとなる。
【００６４】
一般的な画像形成装置の電源の場合、スリープモード時の２次側消費電力は、５．１Ｖ×０．０７Ａ＝０．３５７Ｗ＝３５７ｍＷであり、電源側の損失を１５７ｍＷ（実測）とすると、スリープ効率＝３５７／（１５７＋３５７）＝６９．４６％となる。本実施形態では消費電力を２ｍＷ削減できるので、スリープ効率＝３５７／（１５７−２＋３５７）＝６９．７３％であり、０．２７％≒０．３％の効率アップとなる。
【００６５】
図４は、ＡＣ入力オフ判定処理の動作を示すフローチャートである。この処理はＣＰＵ８０１が図示しない記録媒体に格納された動作プログラムに従って動作することにより実行される。
【００６６】
ステップＳ０１では、フォトカプラ電流切り替え信号をオフにし、フォトカプラＰＣ１、ＰＣ２の発光ダイオードＬＥＤ１、ＬＥＤ２を流れる電流をデフォルト値にする。
【００６７】
ステップＳ０２で、ＨレベルのＡＣオフモニタ出力信号を受信したかどうか、換言すればＡＣ入力電圧の低下を検出したかどうか判定する。ＡＣオフモニタ出力信号を受信していなければ（ステップＳ０２でＮＯ）、ステップＳ０２に留まり、ＡＣオフモニタ出力信号を受信するのを待つ。ＡＣオフモニタ出力信号を受信すると（ステップＳ０２でＹＥＳ）、ステップＳ０３で、フォトカプラ電流切替信号をオン（アクティブ）にして、フォトカプラＰＣ１、ＰＣ２の発光ダイオードＬＥＤ１、ＬＥＤ２を流れる電流を増加させる。
【００６８】
次いでステップＳ０４で、ＡＣ入力がオフかどうかを、再度ＡＣ入力電圧の低下を検出したかどうかで判定し、ＡＣ入力オフと判定すると（ステップＳ０４でＹＥＳ）、ステップＳ０５で、画像形成装置２０を停止し必要なマシン情報を図示しないメモリに退避させたのち、ステップＳ６に進む。ステップＳ０４でＡＣ入力がオフでない場合は（ステップＳ０４でＮＯ）、そのままステップＳ０６に進む。
【００６９】
ステップＳ０６では、フォトカプラ電流切り替え信号をオフにし、フォトカプラＰＣ１、ＰＣ２の発光ダイオードＬＥＤ１、ＬＥＤ２を流れる電流を、通常状態のデフォルト値に戻す。
【００７０】
図５はこの発明の他の実施形態に係るＡＣ入力検出回路の回路図である。図２のＡＣ入力検出回路では、直列に接続されたＳＷ素子Ａ及び抵抗Ｒ１ｂが、抵抗Ｒ１ａと並列に接続されていたが、図５のＡＣ入力検出回路では、ＳＷ素子Ａ及び抵抗Ｒ１ｂを含めて、複数組のスイッチ素子と抵抗との直列接続体が、抵抗Ｒ１ａと並列に接続されている。具体的にはＳＷ素子Ａ及び抵抗Ｒ１ｂ以外に、スイッチ素子Ｂと抵抗Ｒ１ｃとの直列接続体、スイッチ素子Ｃと抵抗Ｒ１ｄとの直列接続体、ＳＷ素子Ｄと抵抗Ｒ１ｅとの直列接続体が、それぞれ抵抗Ｒ１ａと並列に接続されている。抵抗Ｒ１ｂ〜Ｒ１ｅは抵抗値値がそれぞれ異なり、抵抗Ｒ１ｂの抵抗値が最小、抵抗Ｒ１ｅの抵抗値が最大であり、Ｒ１ｂ、Ｒ１ｃ、Ｒ１ｄ、Ｒ１ｅの順で抵抗値が大きく設定されている。
【００７１】
また、ＣＰＵ８０１からは各スイッチ素子Ａ〜Ｄに別々のフォトカプラ電流切替信号Ａ〜Ｄが出力されるようになっている。図５のＡＣ入力検出回路の他の構成は図２のＡＣ入力検出回路と同じであるので、同一構成部分については同一の符号を付し説明は省略する。
【００７２】
図５のＡＣ入力検出回路では、画像形成装置２０にオプション装置が装着されているかどうかの動作条件、及び／または画像形成装置２０の動作状態（ステータス）に応じて、フォトカプラＰＣ１、ＰＣ２の発光ダイオードＬＥＤ１、ＬＥＤ２の電流値の増加量を変更するように構成されている。
【００７３】
図６に、画像形成装置２０の動作条件及び／又はステータスに応じて、フォトカプラＰＣ１、ＰＣ２の発光ダイオードＬＥＤ１、ＬＥＤ２の電流値の増加量を変更するためのテーブルを示している。ここで、画像形成装置２０の動作条件とは、フィニッシャ、原稿自動搬送装置（ドキュメントフィーダー：ＤＦ）等のオプション装置の装着条件であり、動作ステータスとは、画像形成装置２０の動作状態である印字状態、待機状態、スリープ状態等をいう。
【００７４】
抵抗Ｒ１ａで決定される、フォトカプラＰＣ１、ＰＣ２の発光ダイオードＬＥＤ１、ＬＥＤ２を流れるデフォルトの電流値が減少して、ＡＣ入力電圧の低下が検出された場合、ＣＰＵ８０１は、画像形成装置２０の動作条件及び／又はステータスに応じて、フォトカプラ電流切替信号Ａ〜Ｄのうち何れかを出力する。前述したように、各抵抗Ｒ１ｂ〜Ｒ１ｅの値はそれぞれ異なっており、フォトカプラ電流切替信号Ａ〜Ｄのうち何れを出力するかによって、抵抗Ｒ１ａと組み合わされる抵抗Ｒ１ｂ〜Ｒ１ｅを選択し、合成抵抗値を変えることにより発光ダイオードＬＥＤ１、ＬＥＤ２を流れる電流値の増加量を変化させる。
【００７５】
この理由は、ＡＣ入力電圧の低下による低圧電源である２次側のＤＣ出力電圧（例えばＤＣ２４Ｖ、ＳＣ５Ｖ等）の出力低下が、画像形成装置２０の負荷の大小、すなわち画像形成装置２０の動作条件及び／又はステータスに応じて異なることから、ＡＣ入力電圧の低下の許容量も異なる。このため、ＡＣ入力オフと判定されるＡＣ入力電圧である許容低下電圧に応じ、許容低下電圧が低い場合ほど切り替え後の電流値を確保するために抵抗値を小さくして電流の増加量が大きくなるようにしている。
【００７６】
図６の表の例で説明すると、動作条件がフィニッシャや自動原稿搬送装置等のオプションなし（オプションは装着されていない）であっても、オプションが装着されていても、ステータスがスリープ状態であれば、許容低下電圧が５５Ｖ、つまりＡＣ入力電圧が５５Ｖまで低下しても動作は確保されるため、ＡＣ入力電圧が５５Ｖ付近に達した時にＡＣ入力オフと判定されるように、抵抗値が最小のＲ１ｂを動作させるものとし、このためにＣＰＵ８０１はフォトカプラ電流切替信号Ａを出力して、ＳＷ素子Ａをオンにするようになっている。
【００７７】
同様に、動作条件がオプションなしであってもオプションが装着されていても、ステータスが待機状態であれば、許容低下電圧が６０Ｖであるため、ＡＣ入力電圧が６０Ｖ付近に達した時にＡＣ入力オフと判定されるように、抵抗値が小さいＲ１ｃを動作させるものとし、このためにＣＰＵ８０１はフォトカプラ電流切替信号Ｂを出力して、ＳＷ素子Ｂをオンにするようになっている。
【００７８】
また、動作条件がオプションなしでステータスが印字状態の場合は、許容低下電圧が６５Ｖであるため、ＡＣ入力電圧が６５Ｖ付近に達した時にＡＣ入力オフと判定されるように、抵抗値が大きいＲ１ｄを動作させるものとし、このためにＣＰＵ８０１はフォトカプラ電流切替信号Ｃを出力して、ＳＷ素子Ｃをオンにするようになっている。
【００７９】
また、オプションが装着されておりステータスが印字状態の場合は、許容低下電圧が７０Ｖであるため、ＡＣ入力電圧が７０Ｖ付近に達した時にＡＣ入力オフと判定されるように、抵抗値が大きいＲ１ｅを動作させるものとし、このためにＣＰＵ８０１はフォトカプラ電流切替信号Ｄを出力して、ＳＷ素子Ｄをオンにするようになっている。
【００８０】
このように、画像形成装置２０の動作条件及び／又はステータスに応じて、ＡＣ入力電圧の最初の低下を検出した時に抵抗Ｒ１ａと並列接続される抵抗を選択し、電流量の増加量を変更することにより、次のような効果がある。即ち、画像形成装置２０の動作条件やステータスに関わらず、ＡＣ入力電圧の最初の低下を検出した時に抵抗Ｒ１ａと並列接続される抵抗を一律に固定すると、本来、低圧電源の２次側ＤＣ出力電圧（ＤＣ２４Ｖ、５Ｖ等）の低下が起きないにも関わらず、画像形成装置２０の動作が停止してしまう事態が発生し、生産性を落としてしまう。画像形成装置２０の動作条件及び／又はステータスに応じて、ＡＣ入力電圧の最初の低下を検出した時に抵抗Ｒ１ａと並列接続される抵抗を選択し、電流量の増加量を変更することで、画像形成装置２０の動作条件及び／又はステータスに応じて最適なタイミングで画像形成装置２０の動作を停止させることができ、生産性を落としてしまうといった不都合を防止できる。
【００８１】
図７は、図５に示したＡＣ入力検出回路におけるＡＣ入力オフ判定処理の動作を示すフローチャートである。この処理はＣＰＵ８０１が図示しない記録媒体に格納された動作プログラムに従って動作することにより実行される。
【００８２】
ステップＳ１１では、フォトカプラ電流切り替え信号をオフにし、フォトカプラＰＣ１、ＰＣ２の発光ダイオードＬＥＤ１、ＬＥＤ２を流れる電流をデフォルト値にする。
【００８３】
ステップＳ１２で、ＨレベルのＡＣオフモニタ出力信号を受信したかどうか、換言すればＡＣ入力電圧の低下を検出したかどうか判定する。ＡＣオフモニタ出力信号を受信していなければ（ステップＳ１２でＮＯ）、ステップＳ１２に留まり、ＡＣオフモニタ出力信号を受信するのを待つ。ＡＣオフモニタ出力信号を受信すると（ステップＳ１２でＹＥＳ）、ステップＳ１３で、図６のテーブルを参照し、画像形成装置２０の動作条件及び／又はステータスに応じて、フォトカプラ電流切替信号Ａ〜Ｄのうちいずれかのフォトカプラ電流切替信号をオン（アクティブ）にして、フォトカプラＰＣ１、ＰＣ２の発光ダイオードＬＥＤ１、ＬＥＤ２を流れる電流を増加させる。
【００８４】
次いでステップＳ１４で、ＡＣ入力がオフかどうかを、再度ＡＣ入力電圧の低下を検出したかどうかで判定し、ＡＣ入力オフと判定すると（ステップＳ１４でＹＥＳ）、ステップＳ０５で、画像形成装置２０を停止し必要なマシン情報を図示しないメモリに退避させたのち、ステップＳ６に進む。ステップＳ０４でＡＣ入力がオフでない場合は（ステップＳ０４でＮＯ）、そのままステップＳ１６に進む。
【００８５】
ステップＳ１６では、フォトカプラ電流切り替え信号をオフにし、フォトカプラＰＣ１、ＰＣ２の発光ダイオードＬＥＤ１、ＬＥＤ２を流れる電流を、通常状態のデフォルト値に戻す。
【００８６】
以上、本発明の一実施形態を説明したが、本発明は上記実施形態に限定されることはない。例えば、ＡＣ入力検出回路を画像形成装置２０に搭載した例を示したが、画像形成装置以外の他の装置に搭載されても良い。
【００８７】
また、フォトカプラを２個用いたが、ＡＣ入力の整流後にＡＣオフを検出する場合等には、フォトカプラは１個でも良い。
【符号の説明】
【００８８】
２０    画像形成装置
８００  交流入力検出回路
８０１  ＣＰＵ
ＰＣ１、ＰＣ２  フォトカプラ
ＬＥＤ１、ＬＥＤ２  発光ダイオード
Ｒ１ａ〜Ｒ１ｅ  抵抗
ＳＷＡ〜Ｄ  スイッチ素子
【図１】
2019062591.tif 000003
【図２】
2019062591.tif 000004
【図３】
2019062591.tif 000005
【図４】
2019062591.tif 000006
【図５】
2019062591.tif 000007
【図６】
2019062591.tif 000008
【図７】
2019062591.tif 000009
【図８】
2019062591.tif 000010
【図９】
2019062591.tif 000011
【図１０】
2019062591.tif 000012
【図１１】
2019062591.tif 000013
【図１２】
2019062591.tif 000014